(57)【特許請求の範囲】
【請求項１】
身体を活性化させる光を出射する発光装置であって、
出射領域から光を出射する一対の発光モジュールと、
一対の前記発光モジュールを収容している筐体と、
前記出射領域を有し、前記筐体に形成された開口を覆うように設けられる透光板とを備え、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
一対の前記発光モジュールの各々は、白色光源と、青色光源とを有し、
一方の前記発光モジュールにおける前記白色光源及び前記青色光源と、他方の前記発光モジュールにおける前記白色光源及び前記青色光源とは、前記筐体内において互いに向き合うように設けられ、
前記青色光源は、前記白色光源よりも前記筐体の底部側に設けられる
発光装置。
【請求項２】
身体を活性化させる光を出射する発光装置であって、
出射領域から光を出射する発光モジュールを備え、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
前記第１出射領域の前記第１輝度は、２３０００ｃｄ／ｍ２未満であり、
前記第２出射領域の前記第２輝度は、２３０００ｃｄ／ｍ２以上である
発光装置。
【請求項３】
身体を活性化させる光を出射する発光装置であって、
出射領域から光を出射する発光モジュールを備え、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
前記発光モジュールの発光ピークにおける前記所定の波長は、４３０ｎｍ以上４９５ｎｍ以下であり、
前記第１出射領域の前記第１輝度は、１０００ｃｄ／ｍ２以上２３０００ｃｄ／ｍ２未満であり、
前記第２出射領域の前記第２輝度は、２３０００ｃｄ／ｍ２以上７４０００ｃｄ／ｍ２以下である
発光装置。
【請求項４】
身体を活性化させる光を出射する発光装置であって、
出射領域から光を出射する発光モジュールを備え、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、かつ、グラデーション領域を有し、
前記第２出射領域は、前記第１出射領域の周辺に位置し、
前記第１出射領域から出射する前記第１輝度の光は、身体を活性化させる所定の波長を有し、
前記グラデーション領域は、前記第２出射領域から遠ざかるに従って、前記第１出射領域における前記第１輝度が次第に低下する領域である
発光装置。
【請求項５】
さらに、
一対の前記発光モジュールを収容している筐体と、
前記出射領域を有し、前記筐体に形成された開口を覆うように設けられる透光板とを備え、
一対の前記発光モジュールの各々は、白色光源と、青色光源とを有し、
一方の前記発光モジュールにおける前記白色光源及び前記青色光源と、他方の前記発光モジュールにおける前記白色光源及び前記青色光源とは、前記筐体内において互いに向き合うように設けられ、
前記青色光源は、前記白色光源よりも前記筐体の底部側に設けられる
請求項２〜４のいずれか１項に記載の発光装置。
【請求項６】
さらに、
前記筐体の内周面に設けられ、光を拡散させる拡散シートを備える
請求項５記載の発光装置。
【請求項７】
前記第１出射領域の前記第１輝度は、２３０００ｃｄ／ｍ２未満であり、
前記第２出射領域の前記第２輝度は、２３０００ｃｄ／ｍ２以上である
請求項１、３、４のいずれか１項に記載の発光装置。
【請求項８】
前記発光モジュールの発光ピークにおける前記所定の波長は、４３０ｎｍ以上４９５ｎｍ以下であり、
前記第１出射領域の前記第１輝度は、１０００ｃｄ／ｍ２以上２３０００ｃｄ／ｍ２未満であり、
前記第２出射領域の前記第２輝度は、２３０００ｃｄ／ｍ２以上７４０００ｃｄ／ｍ２以下である
請求項１、２、４のいずれか１項に記載の発光装置。
【請求項９】
前記第１出射領域は、グラデーション領域を有し、
前記グラデーション領域は、前記第２出射領域から遠ざかるに従って、前記第１出射領域における前記第１輝度が次第に低下する領域である
請求項１〜３のいずれか１項に記載の発光装置。
【請求項１０】
前記第２出射領域は、複数の領域を有し、前記第１出射領域を挟むように位置する
請求項１〜９のいずれか１項に記載の発光装置。
【請求項１１】
前記第２出射領域は、前記第１出射領域を囲むように位置する
請求項１〜１０のいずれか１項に記載の発光装置。
【請求項１２】
前記第２出射領域は、前記出射領域の外縁の一部に接する
請求項１〜１１のいずれか１項に記載の発光装置。
【請求項１３】
請求項１〜１２のいずれか１項に記載の前記発光装置を用いて浴光する浴光方法であって、
前記発光装置は、前記出射領域からの光を眼に照射させる
浴光方法。
【請求項１４】
信号を送信する端末装置と、
身体を活性化させる光を出射する発光装置と、
一対の発光モジュールを収容している筐体と、
前記出射領域を有し、前記筐体に形成された開口を覆うように設けられる透光板とを備え、
前記発光装置は、
出射領域から光を出射する一対の前記発光モジュールと、
前記端末装置から信号を受信する受信部と、
前記受信部が受信した信号に応じて、一対の前記発光モジュールの発光状態を制御する制御部とを有し、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
一対の前記発光モジュールの各々は、白色光源と、青色光源とを有し、
一方の前記発光モジュールにおける前記白色光源及び前記青色光源と、他方の前記発光モジュールにおける前記白色光源及び前記青色光源とは、前記筐体内において互いに向き合うように設けられ、
前記青色光源は、前記白色光源よりも前記筐体の底部側に設けられる
発光システム。
【請求項１５】
信号を送信する端末装置と、
身体を活性化させる光を出射する発光装置とを備え、
前記発光装置は、
出射領域から光を出射する発光モジュールと、
前記端末装置から信号を受信する受信部と、
前記受信部が受信した信号に応じて、前記発光モジュールの発光状態を制御する制御部とを有し、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
前記第１出射領域の前記第１輝度は、２３０００ｃｄ／ｍ２未満であり、
前記第２出射領域の前記第２輝度は、２３０００ｃｄ／ｍ２以上である
発光システム。
【請求項１６】
信号を送信する端末装置と、
身体を活性化させる光を出射する発光装置とを備え、
前記発光装置は、
出射領域から光を出射する発光モジュールと、
前記端末装置から信号を受信する受信部と、
前記受信部が受信した信号に応じて、前記発光モジュールの発光状態を制御する制御部とを有し、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、
前記第２出射領域は、前記第１出射領域の周辺に位置し、
前記第１出射領域から出射する前記第１輝度の光は、身体を活性化させる所定の波長を有し、
前記発光モジュールの発光ピークにおける前記所定の波長は、４３０ｎｍ以上４９５ｎｍ以下であり、
前記第１出射領域の前記第１輝度は、１０００ｃｄ／ｍ２以上２３０００ｃｄ／ｍ２未満であり、
前記第２出射領域の前記第２輝度は、２３０００ｃｄ／ｍ２以上７４０００ｃｄ／ｍ２以下である
発光システム。
【請求項１７】
信号を送信する端末装置と、
身体を活性化させる光を出射する発光装置とを備え、
前記発光装置は、
出射領域から光を出射する発光モジュールと、
前記端末装置から信号を受信する受信部と、
前記受信部が受信した信号に応じて、前記発光モジュールの発光状態を制御する制御部とを有し、
前記出射領域は、
第１輝度の光を出射する第１出射領域と、
前記第１出射領域と異なる領域であり、前記第１輝度よりも大きな輝度である第２輝度の光を出射する第２出射領域とを有し、
前記第１出射領域は、前記出射領域の中央部分に位置し、かつ、グラデーション領域を有し、
前記第２出射領域は、前記第１出射領域の周辺に位置し、
前記第１出射領域から出射する前記第１輝度の光は、身体を活性化させる所定の波長を有し、
前記グラデーション領域は、前記第２出射領域から遠ざかるに従って、前記第１出射領域における前記第１輝度が次第に低下する領域である
発光システム。
【発明の詳細な説明】
【技術分野】
【０００１】
本発明は、身体を活性化するための光を出射する発光装置、発光装置を用いて浴光する浴光方法、及び発光装置を用いた発光システムに関する。
【背景技術】
【０００２】
従来、光源（発光モジュールの一例）を用いた発光装置が様々な用途で使用されている。例えば、特許文献１には、光治療用の光（身体を活性化するための光の一例）を出力する発光面（出射領域の一例）の輝度を低く抑えた低輝度高照度光（光の一例）を出力する光治療用高照度光出射装置（発光装置の一例）が開示されている。
【先行技術文献】
【特許文献】
【０００３】
【特許文献１】特開平８−１５０２１０号公報
【発明の概要】
【発明が解決しようとする課題】
【０００４】
しかしながら、出射領域の輝度を低く抑えただけの装置を用いて浴光しても、必ずしも身体を活性化させることにはならない。身体を活性化させるには、使用者の眼に光を入射させる必要があるが、光の輝度が高ければ、瞳孔の収縮により、入光効率が低下してしまう。
【０００５】
そこで、本発明は、瞳孔への入光効率の低下を抑制することができる発光装置、浴光方法及び発光システムを提供することを目的とする。
【課題を解決するための手段】
【０００６】
上記目的を達成するため、本発明の一態様に係る発光装置は、身体を活性化させる光を出射する発光装置であって、出射領域から光を出射する一対の発光モジュールと、一対の前記発光モジュールを収容している筐体と、前記出射領域を有し、前記筐体に形成された開口を覆うように設けられる透光板とを備え、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有し、一対の前記発光モジュールの各々は、白色光源と、青色光源とを有し、一方の前記発光モジュールにおける前記白色光源及び前記青色光源と、他方の前記発光モジュールにおける前記白色光源及び前記青色光源とは、前記筐体内において互いに向き合うように設けられ、前記青色光源は、前記白色光源よりも前記筐体の底部側に設けられる。
また、本発明の他の態様に係る発光装置は、身体を活性化させる光を出射する発光装置であって、出射領域から光を出射する発光モジュールを備え、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有し、前記第１出射領域の前記第１輝度は、２３０００ｃｄ／ｍ２未満であり、前記第２出射領域の前記第２輝度は、２３０００ｃｄ／ｍ２以上である。
また、本発明の他の態様に係る発光装置は、身体を活性化させる光を出射する発光装置であって、出射領域から光を出射する発光モジュールを備え、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有し、前記発光モジュールの発光ピークにおける前記所定の波長は、４３０ｎｍ以上４９５ｎｍ以下であり、前記第１出射領域の前記第１輝度は、１０００ｃｄ／ｍ２以上２３０００ｃｄ／ｍ２未満であり、前記第２出射領域の前記第２輝度は、２３０００ｃｄ／ｍ２以上７４０００ｃｄ／ｍ２以下である。
また、本発明の他の態様に係る発光装置は、身体を活性化させる光を出射する発光装置であって、出射領域から光を出射する発光モジュールを備え、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、かつ、グラデーション領域を有し、前記第２出射領域は、前記第１出射領域の周辺に位置し、前記第１出射領域から出射する前記第１輝度の光は、身体を活性化させる所定の波長を有し、前記グラデーション領域は、前記第２出射領域から遠ざかるに従って、前記第１出射領域における前記第１輝度が次第に低下する領域である。
【０００７】
また、本発明の一態様に係る浴光方法は、前記発光装置を用いて浴光する浴光方法であって、前記発光装置は、前記出射領域からの光を眼に照射させる。
【０００８】
また、本発明の一態様に係る発光システムは、信号を送信する端末装置と、身体を活性化させる光を出射する発光装置と、一対の発光モジュールを収容している筐体と、前記出射領域を有し、前記筐体に形成された開口を覆うように設けられる透光板とを備え、前記発光装置は、出射領域から光を出射する一対の前記発光モジュールと、前記端末装置から信号を受信する受信部と、前記受信部が受信した信号に応じて、一対の前記発光モジュールの発光状態を制御する制御部とを有し、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有する。
また、本発明の他の態様に係る発光システムは、信号を送信する端末装置と、身体を活性化させる光を出射する発光装置とを備え、前記発光装置は、出射領域から光を出射する発光モジュールと、前記端末装置から信号を受信する受信部と、前記受信部が受信した信号に応じて、前記発光モジュールの発光状態を制御する制御部とを有し、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有し、前記第１出射領域の前記第１輝度は、２３０００ｃｄ／ｍ２未満であり、前記第２出射領域の前記第２輝度は、２３０００ｃｄ／ｍ２以上である。
また、本発明の他の態様に係る発光システムは、信号を送信する端末装置と、身体を活性化させる光を出射する発光装置とを備え、前記発光装置は、出射領域から光を出射する発光モジュールと、前記端末装置から信号を受信する受信部と、前記受信部が受信した信号に応じて、前記発光モジュールの発光状態を制御する制御部とを有し、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、前記第２出射領域は、前記第１出射領域の周辺に位置し、前記第１出射領域から出射する前記第１輝度の光は、身体を活性化させる所定の波長を有し、前記発光モジュールの発光ピークにおける前記所定の波長は、４３０ｎｍ以上４９５ｎｍ以下であり、前記第１出射領域の前記第１輝度は、１０００ｃｄ／ｍ２以上２３０００ｃｄ／ｍ２未満であり、前記第２出射領域の前記第２輝度は、２３０００ｃｄ／ｍ２以上７４０００ｃｄ／ｍ２以下である。
また、本発明の他の態様に係る発光システムは、信号を送信する端末装置と、身体を活性化させる光を出射する発光装置とを備え、前記発光装置は、出射領域から光を出射する発光モジュールと、前記端末装置から信号を受信する受信部と、前記受信部が受信した信号に応じて、前記発光モジュールの発光状態を制御する制御部とを有し、前記出射領域は、第１輝度の光を出射する第１出射領域と、前記第１出射領域と異なる領域であり、前記第１輝度よりも大きな輝度である第２輝度の光を出射する第２出射領域とを有し、前記第１出射領域は、前記出射領域の中央部分に位置し、かつ、グラデーション領域を有し、前記第２出射領域は、前記第１出射領域の周辺に位置し、前記第１出射領域から出射する前記第１輝度の光は、身体を活性化させる所定の波長を有し、前記グラデーション領域は、前記第２出射領域から遠ざかるに従って、前記第１出射領域における前記第１輝度が次第に低下する領域である。
【発明の効果】
【０００９】
本発明によれば、瞳孔への入光効率の低下を抑制することができる。
【図面の簡単な説明】
【００１０】
【図１】実施の形態１に係る浴光装置を示す斜視図である。
【図２】図１のＩＩ−ＩＩ線における実施の形態１に係る浴光装置を示す断面図である。
【図３】実施の形態１に係る浴光装置を示すブロック図である。
【図４】実施の形態１に係る浴光装置を示す正面図である。
【図５】実施の形態１に係る浴光装置における白色光源のスペクトル図である。
【図６】実施の形態１に係る浴光装置における白色光源と青色光源とのスペクトル図である。
【図７】実施の形態１の変形例１に係る浴光装置を示す正面図である。
【図８】実施の形態１の変形例２に係る浴光装置を示す正面図である。
【図９】実施の形態２に係る発光システムを示す斜視図である。
【図１０】実施の形態２に係る発光システムの浴光装置を示すブロック図である。
【発明を実施するための形態】
【００１１】
（本発明の基礎となった知見）
一般的に、眼（目）に所定の波長を有する光を取り入れることで、身体の活性化を行えることが知られている。身体を活性化する光は、青色光と、白色光とがある。青色光では、所定時間以上青色を含む光を浴びると、生体リズムを改善する効果があることが知られている。特に、午前から午後３時頃までに青色の光を浴びると、セロトニン等の生体ホルモンの生成量を促進する効果があることが知られている。また、白色光では、所定時間以上白色を含む光を浴びると、脳波が活性する効果があることが知られている。このため、この青色光と白色光とが同時に眼に入ることで、身体の活性化を行うことが望ましい。ここで、生体リズムとは、人の生理現象として、一定の時刻になると自然に眠くなり、一定時間眠ると自然に目が覚めるという生体リズムが約１日の周期で行われているリズムである。
【００１２】
毎日、浴光することで、セロトニンの分泌量が増加すると、生活リズム（体内時計）に関わるメラトニンの生成が促進される。そして、夜間ではメラトニンが生成され易いため、質の高い睡眠を得ることができる。
【００１３】
これらのことから、人間の眼には、効率よく光を取り入れたい。しかし、眼に光が入る場合において、高い輝度の光を浴びると、瞳孔が収縮し、自然に目を細めるという生理現象が起こる。この瞳孔の収縮により、眼に入る光の量が抑制されてしまう。
【００１４】
人間の眼の感度は、主に、３８０ｎｍから７８０ｎｍまでの波長の光を認識し、５５５ｎｍの波長の光に対して一番高い感度を有し、５５５ｎｍｍの波長の光から離れるに従い、感度が低下する。この人間の眼の特性（視感度）から、眼に青色光の入光を増やしつつ、人間が光を眩しく感じないようにするには、この５５５ｎｍ付近の輝度を下げ、青色光と呼ばれる４３０ｎｍから４９５ｎｍまでの波長の光の輝度を上げることが効果的であると考えられる。
【００１５】
また、人間の生体ホルモンに一番高く影響を与える感度（生体作用量又は生体刺激量ともいう）は、４８０ｎｍから４９０ｎｍまでのピークを持つ。このため、人間の眼にあてる光は、４８０ｎｍから４９０ｎｍまでの波長の光の強度が強いことが望ましい。
【００１６】
このようなことから、従来の発光装置のように、出射領域の輝度を低く抑えれば、瞳孔の収縮は起こり難いものの、単に出射領域の輝度を低く抑えるだけでは、必ずしも身体を活性化させることができるとは限らない。瞳孔への入光効率の低下を抑制しつつ、身体を活性化する効果のある光を眼に照射する（入れる）ことが望まれる。
【００１７】
そこで、瞳孔への入光効率の低下を抑制することができる発光装置、浴光方法及び発光システムを提供する。
【００１８】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１９】
また、「略＊＊」との記載は、「略同一」を例に挙げて説明すると、全く同一はもとより、実質的に同一と認められるものを含む意図である。
【００２０】
なお、各図は、模式図であり、必ずしも厳密に図示されたものではない。また、各図において、実質的に同一の構成に対しては同一の符号を付しており、重複する説明は省略又は簡略化する。
【００２１】
以下、本発明の実施の形態１に係る浴光装置について説明する。
【００２２】
（実施の形態１）
［構成］
まず、本実施の形態に係る浴光装置１の構成について、図１から図４を用いて説明する。
【００２３】
図１は、実施の形態１に係る浴光装置１を示す斜視図である。図２は、図１のＩＩ−ＩＩ線における実施の形態１に係る浴光装置１を示す断面図である。図３は、実施の形態１に係る浴光装置１を示すブロック図である。図４は、実施の形態１に係る浴光装置１を示す正面図である。図２では、青色光及び白色光を太い実線の矢印で示している。
【００２４】
図１では、浴光装置１において、浴光装置１の透光板１３側を前方向と規定し、前後、左右及び上下の各方向を表示する。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００２５】
図１に示すように、浴光装置１（発光装置の一例）は、前方から使用者に身体を活性化させる光を出射する装置である。身体を活性化させる光とは、本実施の形態では、青色光を多く含んだ光と、青色光に白色光を付加した光である。本実施の形態では、青色光と白色光とを同時に出射することができる。この浴光装置１では、例えば、オフィス等におけるデスク、化粧台などに載置して身体を活性化させる光を照射することができる。
【００２６】
なお、ここでいう青色光とは、厳密な意味で青色を意味しているのではなく、通常、青色と見える光を意味し、例えば４３０ｎｍから４９５ｎｍまでの波長を有する光である。また、ここでいう白色光とは、厳密な意味で白色を意味しているのではなく、通常、白色と見える光を意味し、可視光線の各色の光（例えば、青色光（４３０〜４９５ｎｍ）、緑色光（４９５〜５７０ｎｍ）、赤色光（６２０〜７５０ｎｍ）等の光）が均一に混ざった光である。
【００２７】
図２及び図３に示すように、浴光装置１は、筐体３と、５つの拡散シート７と、一対の発光モジュール９と、２つの透光カバー１１と、透光板１３と、電源部１５とを有する。
【００２８】
筐体３は、前後方向に扁平な有底の箱であり、５つの拡散シート７と、一対の発光モジュール９と、電源部１５とを収容している。本実施の形態の筐体３は、前方から見た場合の形状は、上下に長尺な長方形状である。本実施の形態の筐体３は、上下方向の高さが２１０ｍｍであり、左右方向の幅が１５０ｍｍである。
【００２９】
また、筐体３には、前方側（正面側）で開く開口３１が設けられる。筐体３の内面には、光を拡散（反射）する白色の拡散シート７が一様に設けられる。具体的には、拡散シート７は、筐体３の後面、上面、下面、左面、右面を覆うように設けられる。本実施の形態では、筐体３は、前面が形成されていないが、筐体３が前面を有する場合には、前面を覆うように拡散シート７が設けられてもよい。
【００３０】
拡散シート７は、例えば、アクリルやポリカーボネート等の透光性樹脂材料又は透明なガラス材料等の透光性を有する材料で形成される。また、本実施の形態では、拡散シート７は、光を拡散する機能を有する。例えば、シリカもしくは炭酸カルシウムなどの光拡散材（微粒子）を含有する樹脂または白色顔料を、拡散シート７の内面または外面に付着させることで、乳白色の光拡散膜が拡散シート７に形成される。また、拡散シート７そのものが、光拡散材が分散された樹脂材料等を用いて成形されてもよい。
【００３１】
拡散シート７には、拡散加工を施すことによって光拡散性を有するように構成されていてもよい。例えば、シボ加工等の表面処理を施すことによって拡散シート７の表面に微小凹凸を形成したり、透明カバーの表面にドットパターンを印刷したりすることによって光拡散性を有するように構成してもよい。
【００３２】
なお、拡散シート７は、透光性を有する材料（透明又は半透明な材料）に限らない。拡散シート７は、例えば、アルミニウム等の金属材料を用いていてもよく、硬質の白色樹脂材料（不透明樹脂）を用いてもよい。つまり、拡散シート７は、入射した光を拡散（反射）する機能を有していればよい。
【００３３】
発光モジュール９は、複数の光源（後述する、白色光源９１及び青色光源９２）と、複数の光源が配置される配線基板９３とを有するモジュールであり、左右方向に長尺な板状をなしている。
【００３４】
複数の光源は、配線基板９３上に複数列に並ぶように実装されている。光源は、いわゆるＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。光源は、浴光装置１に設けられている制御回路により制御されて点灯及び消灯を行う。また、光源は、制御回路が電源部１５を制御して（電力の供給量を調節することで）調光制御及び調色制御が行われる。本実施の形態では、発光モジュール９は、調光制御（明るさの制御）および調色制御（発光色の制御）が可能であってもよい。制御回路は、例えば、入力された信号に応じて発光モジュール９に供給する電流値等を制御するマイクロコンピュータ、プロセッサ、または専用回路等によって実現される。
【００３５】
なお、光源は、このような構成に限定されるものではなく、配線基板９３上にＬＥＤチップが直接的に実装されたＣＯＢ（Ｃｈｉｐ  Ｏｎ  Ｂｏａｒｄ）型のモジュールが用いられてもよい。また、光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００３６】
複数の光源は、配線基板９３の長さ方向（左右方向）に沿って等間隔に配列されて、前後方向に２列並んでいる。前側の一列で左右方向に並ぶように実装されている複数の光源は、白色光を出射する白色光源９１である。後側（白色光源９１より後側）の一列で左右方向に並ぶように実装されている複数の光源は、青色光を出射する青色光源９２である。本実施の形態では、白色光源９１及び青色光源９２の各々は、光軸がそれぞれ平行となるように配線基板９３に設けられる。
【００３７】
一方（上方）の発光モジュール９は、筐体３内の上面に設けられる。他方（下方）の発光モジュール９は、筐体３内の下面に設けられる。上方の発光モジュール９の白色光源９１及び青色光源９２と下方の発光モジュール９の白色光源９１及び青色光源９２とは、筐体３内において互いに向き合うように設けられる。
【００３８】
なお、本実施の形態では、一対の発光モジュール９は、互いに平行になるように設けられるが、必ずしも平行でなくてもよい。例えば、上側の発光モジュール９は前側から後側に向かって下り傾斜するように傾けて（青色光源９２が白色光源９１よりも下方になるように傾けて）、下側の発光モジュール９は前側から後側に向かって上り傾斜するように傾けて（白色光源９１が青色光源９２よりも下方になるように傾けて）いてもよい。
【００３９】
２つの透光カバー１１は、一対の発光モジュール９を一対一で覆うように、筐体３に固定されている。透光カバー１１は、透光性を有する左右方向に長尺な部材であり、前後方向及び上下方向で規定される平面で断面視した場合に、弧を描くように湾曲している。
【００４０】
２つの透光カバー１１も、拡散シート７と同様の材料で形成されていてもよく、拡散シート７と同様の光を拡散する機能を有していてもよく、拡散シート７と同様の光拡散性を有する拡散加工が施されていてもよい。
【００４１】
透光板１３は、透光性を有する板状をなした平板であり、筐体３の前方側と同等の大きさの長方形状をなしている。透光板１３は、筐体３の開口３１を覆うように筐体３の前端に固定されている。透光板１３は、白色光源９１及び青色光源９２から出射される光を拡散する機能を有する。透光板１３も、拡散シート７と同様の材料で形成されていてもよく、拡散シート７と同様の光を拡散する機能を有していてもよく、拡散シート７と同様の光拡散性を有する拡散加工が施されていてもよい。
【００４２】
電源部１５は、一対の発光モジュール９を発光させるための電力を生成する電源回路によって構成されている。電源部１５は、例えば、電力系統から供給される電力を、整流、平滑及び降圧等して所定レベルの直流電力に変換し、当該直流電力を一対の発光モジュール９に供給する。電源部１５は、制御線等の電力線によって電力系統と電気的に接続される。
【００４３】
電源部１５は、制御回路により制御されることで、一対の発光モジュール９への電力供給をＯＮ及びＯＦＦする。例えば、リモコン等の操作部を介して点灯の操作を受けた場合には、制御回路は、電源部１５から電力を一対の発光モジュール９に供給し、一対の発光モジュール９を点灯させる。また、操作部が消灯の操作を受けた場合には、制御回路は、電源部１５からの一対の発光モジュール９への電力の供給を遮断することで、一対の発光モジュール９を消灯する。
【００４４】
なお、この浴光装置１では、１つの電源部１５で白色光源９１及び青色光源９２を点灯させてもよく、白色光源９１及び青色光源９２の各々を点灯させる２つの電源部１５であってもよい。白色光源９１及び青色光源９２の各々を点灯させる２つの電源部１５がある場合、電源部１５に接続されている操作部の操作により、調光制御及び調色制御が行われてもよい。
【００４５】
図４に示すように、このような構成の浴光装置１では、上下に設けられている発光モジュール９の白色光源９１と青色光源９２とを点灯させると、透光板１３における上側の一辺及び下側の一辺は白色に見え、透光板１３における中央部分（上側の一辺及び下側の一辺以外の部分）は青色に見える。具体的には、透光板１３における上側の一辺及び下側の一辺が中央部分に向かうに従って、グラデーションのように白色から次第に青色に変化する。透光板１３から光が出射される領域が出射領域である。本実施の形態では、透光板１３の前面（光を出射する面）が出射領域である。
【００４６】
出射領域は、第１出射領域Ｅ１と、第２出射領域Ｅ２とを有する。
【００４７】
第１出射領域Ｅ１は、青色光が出射される透光板１３の中央部分の領域である。第１出射領域Ｅ１からは、２３０００ｃｄ／ｍ２未満である第１輝度の光が出射される。使用者が第１出射領域Ｅ１から出射する光を直視しても眩しく感じ難い（瞳孔が収縮し難い）ように、第１出射領域Ｅ１の第１輝度は、１０００ｃｄ／ｍ２以上２３０００ｃｄ／ｍ２未満としている。特に、上側の第２出射領域Ｅ２と下側の第２出射領域Ｅ２との間における、第１出射領域Ｅ１における中心近傍の第１輝度は、約５０００ｃｄ／ｍ２であることが好ましい。また、第２出射領域Ｅ２の第２輝度は、２３０００ｃｄ／ｍ２以上７４０００ｃｄ／ｍ２以下としている。
【００４８】
第１出射領域Ｅ１は、グラデーション領域Ｅ１１を有する。グラデーション領域Ｅ１１は、第２出射領域Ｅ２から遠ざかるに従って、第１出射領域Ｅ１における第１輝度が次第に低下する領域である。つまり、グラデーション領域Ｅ１１は、第１出射領域Ｅ１とグラデーション領域Ｅ１１以外の第２出射領域Ｅ２との間に位置している。
【００４９】
なお、グラデーション領域Ｅ１１が存在せず、第１出射領域Ｅ１と第２出射領域Ｅ２との境界で突然、輝度が変化してもよい。つまり、本実施の形態では、グラデーション領域Ｅ１１は必須の構成要件ではない。なお、グラデーション領域Ｅ１１は、第１出射領域Ｅ１の全ての領域であってもよく、第１出射領域Ｅ１の一部の領域であってもよい。
【００５０】
また、グラデーション領域Ｅ１１は、第１出射領域Ｅ１に設けられているが、第２出射領域Ｅ２がグラデーション領域を有していてもよい。
【００５１】
第２出射領域Ｅ２は、出射領域の外縁の一部に接している。具体的には、第２出射領域Ｅ２は、複数の領域を有し、第１出射領域Ｅ１を挟むように位置する。本実施の形態では、第２出射領域Ｅ２は、白色光が出射される上側の一辺及び下側の一辺の２つの領域である。第２出射領域Ｅ２は、第１出射領域Ｅ１と異なる領域であり、第１出射領域Ｅ１の周辺に設けられている。第２出射領域Ｅ２からは、第１輝度よりも大きな輝度である第２輝度の光が出射される。本実施の形態では、第２輝度は、２３０００ｃｄ／ｍ２以上５００００ｃｄ／ｍ２以下である。第１出射領域Ｅ１と第２出射領域Ｅ２とにおける輝度の境である２３０００ｃｄ／ｍ２は、使用者が出射する光を直視した場合でも、その眩しさに耐えうる輝度である。
【００５２】
また、一対の第２出射領域Ｅ２は白色に見えるが、これは、白色光源９１が青色光源９２よりも透光板１３に近接しているためであると考えられる。このため、図２の太い実線で示すように、透光板１３における上側の第２出射領域Ｅ２及び下側の第２出射領域Ｅ２からは、主に白色光が出射される。一方、第１出射領域Ｅ１（中央部分）が青色に見えるのは、白色光と青色光とを組み合わせた場合、組み合わせた光のうち、青色光の割合が多くなることによると考えられる。つまり、出射領域において、グラデーションのように、第１出射領域Ｅ１から第２出射領域Ｅ２に近づくにつれて白みが増した色となる。言い換えれば、出射領域において、グラデーションのように、第２出射領域Ｅ２から遠ざかるにつれて青みが増した色となる。図４に示すように、透光板１３における第１出射領域Ｅ１からは主に青色光が出射され、第１出射領域Ｅ１は青空のように見える。
【００５３】
この浴光装置１では、人間の視野角を考慮している。具体的には、人間の視覚には、弁別視野、有効視野、及び安定注視野が存在していることが知られている。弁別視野とは、視力等の視機能が優れている範囲であり、人間の眼（瞳孔等）の中心部を基準にして水平方向に関して約±２°程度の範囲である。有効視野とは、眼球運動で瞬時に情報を受容可能な範囲であり、人間の眼（瞳孔等）の中心部を基準にして水平方向に関して約±１５°以内、上方向に関して約８°以内、及び下方向に関して約１２°以内の視認可能な範囲である。安定注視野とは、有効視野を基準として、人間の眼球や頭部の運動により無理なく情報を受容可能な範囲であり、人間の眼（瞳孔等）の中心部を基準にして水平方向に関して約±３０°〜４５°以内、上方向に関して約２０°〜３０°以内、及び下方向に関して２５°〜４０°以内の視認可能な範囲である。
【００５４】
そこで、浴光装置１において、青色光を出射する領域（第１出射領域Ｅ１）は、少なくとも使用者の弁別視野の範囲を覆う大きさにしたい。つまり、第１出射領域Ｅ１は、弁別視野の範囲よりも大きくしたい。これらを踏まえて、弁別視野の範囲をＳとし、浴光装置１の第１出射領域Ｅ１と使用者の眼との距離をＤとし、弁別視野の角度をθとした場合、これらＳ、Ｄ、θの関係を以下の式で算出することができる。
【００５５】
Ｓ＝Ｄｔａｎθ
【００５６】
例えば、浴光装置１の第１出射領域Ｅ１と使用者の眼との距離Ｄを５０ｃｍ、弁別視野の角度θを２°とした場合、弁別視野の範囲Ｓは、約１．７５ｃｍとなる。つまり、第１出射領域Ｅ１（透光板１３の中央部分）は、直径１．７５ｃｍの円よりも大きくする必要がある。このことから、５０００ｃｄ／ｍ２の輝度の光を出射する領域を、直径１．７５ｃｍの円よりも大きくすることが好ましい。なお、本実施の形態では、５０００ｃｄ／ｍ２の輝度の光を出射する領域を上下方向の幅を約２ｃｍ、左右方向の幅を１５０ｍｍとしている。
【００５７】
図５は、実施の形態１に係る浴光装置１における白色光源９１のスペクトル図である。図６は、実施の形態１に係る浴光装置１における白色光源９１と青色光源９２とのスペクトル図である。
【００５８】
図５に示すように、白色光源９１のスペクトル図では、青色光のピーク波長は、４６０ｎｍである。人間のホルモンに影響を与える青色光を積極的に増加させつつ、約４９５ｎｍよりも長い波長の光（黄色、赤色等の光）を減らしたい。つまり、この浴光装置１では、白色光の眩しさを抑えつつ、青色光を積極的に増加させたい。このため、出射領域から白色光のみを出射させるよりも（図５に示す場合よりも）、第１出射領域Ｅ１から青色光を出射させ、第２出射領域Ｅ２から白色光を出射させることで、図６に示すように、青色光が増加する。本実施の形態のように、青色光のピーク波長が４６０ｎｍであっても、青色光を増加させることで身体を活性化させる効果を期待できる。なお、図６のスペクトル図は、あくまでも一例であり、これに限定されず、例えば、４８０ｎｍから４９０ｎｍまでの波長の光を多く発する光源を用い、図６に示す青色光のピーク波長が４８０ｎｍから４９０ｎｍまでに存在するようにしてもよい。
【００５９】
次に、この浴光装置１を用いた浴光方法について説明する。
【００６０】
使用者は、自身の眼から所定距離離れた場所に浴光装置１を載置する。使用者は、この浴光装置１に電力系統からの電力を供給して起動させる。浴光装置１からは、青色光及び白色光が出射される。こうして、使用者は、第１出射領域Ｅ１から出射される青色光と、第２出射領域Ｅ２から出射される白色光とを同時に浴光する。
【００６１】
所定の照度を有する光を所定時間浴びれば、体内からメラトニンと呼ばれる、睡眠ホルモンの分泌が活発となることが知られている。使用者が浴光装置１を用いた浴光において、例えば、健常者の成人男性では照度５０００ｌｘの光なら６時間（総計３００００ｌｘ・ｈ）程度、不眠症の高齢者では照度２５００ｌｘの光なら４時間（総計１００００ｌｘ・ｈ）程度、健常者の成人女性では照度５５５５ｌｘの光なら６時間（総計３３３３０ｌｘ・ｈ）程度、行うことが望ましいことが知られている。このように、使用者は、この浴光装置１を用いて毎日浴光すれば、身体を活性化することが期待できる。
【００６２】
［作用効果］
次に、本実施の形態における浴光装置１の作用効果について説明する。
【００６３】
上述したように、本実施の形態に係る浴光装置１は、身体を活性化させる光を出射する。また、浴光装置１は、出射領域から光を出射する発光モジュール９を備える。出射領域は、第１輝度の光を出射する第１出射領域Ｅ１と、第１出射領域Ｅ１と異なる領域であり、第１輝度よりも大きな輝度である第２輝度の光を出射する第２出射領域Ｅ２とを有する。第１出射領域Ｅ１は、出射領域の中央部分に位置する。第２出射領域Ｅ２は、第１出射領域Ｅ１の周辺に位置する。第１出射領域Ｅ１から出射する第１輝度の光は、身体を活性化させる所定の波長を有する。
【００６４】
この構成によれば、第２出射領域Ｅ２が、第１出射領域Ｅ１の周辺に設けられているため、使用者は、第２輝度よりも輝度の低い光を見ようとして、第２出射領域Ｅ２から視線を逸らす。このため、使用者は、第１輝度の光を出射する第１出射領域Ｅ１を見ようとするため、第１輝度の光が眼に入り易くなる。つまり、弁別視野の範囲が第１出射領域Ｅ１に収まる。また、この浴光装置１では、使用者が視線を逸らすため、第２出射領域Ｅ２から出射される光により、瞳孔が収縮してしまい、入光効率が低下してしまうことを防止することができる。
【００６５】
したがって、この浴光装置１を用いて浴光すれば、瞳孔への入光効率の低下を抑制することができる。
【００６６】
本実施の形態では、第１出射領域Ｅ１から出射する青色光及び白色光が眼に入り易くなるため、身体を活性化させる所定の波長、第１輝度及び第２輝度を有する光を取り入れ易い。
【００６７】
上述したように、本実施の形態に係る浴光方法は、浴光装置１を用いて浴光する方法である。浴光装置１は、出射領域からの光を眼に照射させる。
【００６８】
この方法によれば、使用者が浴光装置１を用いて浴光すれば、上述の浴光装置１と同様の作用効果を奏する。
【００６９】
また、本実施の形態に係る浴光装置１において、第２出射領域Ｅ２は、複数の領域を有し、第１出射領域Ｅ１を挟むように位置する。
【００７０】
この構成によれば、第１出射領域Ｅ１から視線を逸らしても、第２出射領域Ｅ２よりも輝度の低い第１出射領域Ｅ１に視線を戻し易い。このため、この浴光装置１では、瞳孔への入光効率の低下を抑制することができる。
【００７１】
また、本実施の形態に係る浴光装置１は、さらに、一対の発光モジュール９を収容している筐体３と、出射領域を有し、筐体３に形成された開口３１を覆うように設けられる透光板１３とを備える。また、一対の発光モジュール９の各々は、白色光源９１と、青色光源９２とを有する。一方の発光モジュール９における白色光源９１及び青色光源９２と他方の発光モジュール９における白色光源９１及び青色光源９２とは、筐体３内において互いに向き合うように設けられる。そして、青色光源９２は、白色光源９１よりも筐体３の底部３２側に設けられる。
【００７２】
筐体３の底部３２で、これら白色光源９１及び青色光源９２の光軸が前方向を向くように一様に配置する場合に比べ、本実施の形態に係る浴光装置１の構成によれば、一対の発光モジュール９を互いに向き合うように配置するだけで、青色光源９２及び白色光源９１の数を削減することができる。また、本実施の形態に係る浴光装置１のように、一対の発光モジュール９を互いに向き合うように配置しても、第１出射領域Ｅ１から青色光及び第２出射領域Ｅ２から白色光を出射することができる。このため、この浴光装置１では、部品点数の増加によるコストの高騰化を防止することができる。
【００７３】
なお、一般的に、所定時間以上、青色を含む光を浴びると、生体リズムを改善する効果があることが知られている。また、一般的に、所定時間以上、白色を含む光を浴びると、脳波が活性化する効果があることが知られている。このため、この浴光装置１では、所定の波長及び第１輝度及び第２輝度の光を眼に照射することで、身体の活性化を図ることができる。
【００７４】
また、本実施の形態に係る浴光装置１は、さらに、筐体３の内周面に設けられ、光を拡散させる拡散シート７を備える。
【００７５】
この構成によれば、青色光源９２は、白色光源９１よりも筐体３の底部３２に設けられている拡散シート７の近くに位置するため、青色光が拡散され易い。このため、青色光は、第１出射領域Ｅ１から出射し易くなる。
【００７６】
また、本実施の形態に係る浴光装置１において、第１出射領域Ｅ１の第１輝度は２３０００ｃｄ／ｍ２未満であり、第２出射領域Ｅ２の第２輝度は２３０００ｃｄ／ｍ２以上である。
【００７７】
この構成によれば、第１出射領域Ｅ１と第２出射領域Ｅ２とにおける輝度の境を２３０００ｃｄ／ｍ２としているため、使用者が出射する光を直視した場合でも、その眩しさに耐えることができる（第１出射領域Ｅ１を直視しても不快に感じ難い）。このため、第１輝度が２３０００ｃｄ／ｍ２未満であれば、使用者の瞳孔の収縮は起こり難い。その結果、浴光装置１では、瞳孔への入光効率の低下を抑制することができる。
【００７８】
また、本実施の形態に係る浴光装置１において、発光モジュール９の発光ピークにおける所定の波長は、４３０ｎｍ以上４９５ｎｍ以下である。また、第１出射領域Ｅ１の第１輝度は、１０００ｃｄ／ｍ２以上２３０００ｃｄ／ｍ２未満である。そして、第２出射領域Ｅ２の第２輝度は、２３０００ｃｄ／ｍ２以上７４０００ｃｄ／ｍ２以下である。
【００７９】
この構成によれば、使用者が第１出射領域Ｅ１から出射する光を直視しても眩しく感じ難い。このため、この浴光装置１では、瞳孔への入光効率の低下を抑制するとともに、所定の波長及び第１輝度及び第２輝度の光を眼に照射することで、身体の活性化を図る（生体リズムを整え、脳波を活発にする）ことができる。
【００８０】
また、本実施の形態に係る浴光装置１において、第１出射領域Ｅ１は、グラデーション領域Ｅ１１を有する。そして、グラデーション領域Ｅ１１は、第２出射領域Ｅ２から遠ざかるに従って、第１出射領域Ｅ１における第１輝度が次第に低下する領域である。
【００８１】
この構成によれば、第１出射領域Ｅ１において、グラデーションのように、第１出射領域Ｅ１から遠ざかるにつれて青みが増した色となる。このため、第１出射領域Ｅ１は、青空のように見えるため、安心感を抱く。
【００８２】
（実施の形態１の変形例１）
［構成］
実施の形態１の変形例１に係る浴光装置１の構成について、図７を用いて説明する。
【００８３】
図７は、実施の形態１の変形例１に係る浴光装置１を示す正面図である。
【００８４】
実施の形態１の浴光装置１と、実施の形態１の変形例１の浴光装置１との相違点は、図４に示すように、実施の形態１の浴光装置１では発光モジュール９が上側及び下側に設けられているのに対し、図７に示すように、実施の形態１の変形例１の浴光装置１では発光モジュール９が上側にのみ設けられている点で相違している。つまり、図７に示すように、実施の形態１の変形例１において、第１出射領域Ｅ１は、第２出射領域Ｅ２を除く領域である（透光板１３の中央部分及び下側部分の領域）。また、実施の形態１の変形例１の浴光装置１は、実施の形態１の浴光装置１と同様であり、同一の構成については同一の符号を付して構成に関する詳細な説明を省略する。
【００８５】
第２出射領域Ｅ２は、出射領域の外縁の一部に接する。具体的には、第２出射領域Ｅ２は出射領域の上方に位置し、第１出射領域Ｅ１は第２出射領域Ｅ２の下方に位置する。
【００８６】
なお、実施の形態１の変形例１では、発光モジュール９が上側に設けられているため、透光板１３における第２出射領域Ｅ２も上側に位置するが、これには限定されない。例えば、発光モジュール９は、下側、右側、左側等の一辺に設けられていてもよく、これに伴い、透光板１３における第２出射領域Ｅ２も下側、右側、左側等の一辺に位置してもよい。
【００８７】
［作用効果］
次に、実施の形態１の変形例１における浴光装置１の作用効果について説明する。
【００８８】
上述したように、本実施の形態の変形例に係る浴光装置１において、第２出射領域Ｅ２は、出射領域の外縁の一部に接する。
【００８９】
この構成によれば、発光モジュール９が互いに向き合うように二辺に設けられている浴光装置１（実施の形態１の浴光装置１）に比べ、コストを低廉化することができる。また、使用者は、浴光装置１を用いれば、青色光及び白色光を眼に照射することができるため、身体を活性化させることができる。
【００９０】
また、実施の形態１の変形例１における浴光装置１の作用効果についても、実施の形態１と同様の作用効果を奏する。
【００９１】
（実施の形態１の変形例２）
［構成］
実施の形態１の変形例２に係る浴光装置１の構成について、図８を用いて説明する。
【００９２】
図８は、実施の形態１の変形例２に係る浴光装置１を示す正面図である。
【００９３】
実施の形態１の浴光装置１と、実施の形態１の変形例２の浴光装置１との相違点は、図４に示すように、実施の形態１の浴光装置１では発光モジュール９が上側及び下側に設けられているのに対し、図８に示すように、実施の形態１の変形例２の浴光装置１では発光モジュール９が筐体３の内周面に設けられている点で相違している。また、実施の形態１の変形例２の浴光装置１は、実施の形態１の浴光装置１と同様であり、同一の構成については同一の符号を付して構成に関する詳細な説明を省略する。
【００９４】
実施の形態１の変形例２の浴光装置１では、発光モジュール９は、筐体３内の上面、下面、左面、右面にそれぞれ設けられている。
【００９５】
第２出射領域Ｅ２は、第１出射領域Ｅ１を囲むように設けられる。つまり、第２出射領域Ｅ２は、出射領域の全ての外縁に接する。
【００９６】
［作用効果］
次に、実施の形態１の変形例２における浴光装置１の作用効果について説明する。
【００９７】
上述したように、実施の形態１の変形例２に係る浴光装置１において、第２出射領域Ｅ２は、第１出射領域Ｅ１を囲むように位置する。
【００９８】
この構成によれば、第１出射領域Ｅ１が第２出射領域Ｅ２に囲まれているため、第１出射領域Ｅ１から視線を逸らしても、第２出射領域Ｅ２よりも輝度の低い第１出射領域Ｅ１に視線を戻し易い。
【００９９】
また、実施の形態１の変形例２における浴光装置１の作用効果についても、実施の形態１と同様の作用効果を奏する。
【０１００】
（実施の形態２）
［構成］
実施の形態２に係る発光システム１００の構成について、図９及び図１０を用いて説明する。
【０１０１】
図９は、実施の形態２に係る発光システム１００を示す斜視図である。図１０は、実施の形態２に係る発光システムの浴光装置１を示すブロック図である。
【０１０２】
実施の形態２における浴光装置１は、実施の形態１の浴光装置１と同様であり、同一の構成については同一の符号を付して構成に関する詳細な説明を省略する。
【０１０３】
図９に示すように、発光システム１００は、端末装置１０１と、浴光装置１とを備える。
【０１０４】
端末装置１０１は、リモートコントローラ、スマートフォン、タブレット式端末装置等の機器であり、浴光装置１と別体である。端末装置１０１は、発光モジュール９の発光状態を制御する信号を送信する送信部を有する。つまり、使用者が浴光装置１を点灯、消灯等の動作をさせたい場合に、使用者が端末装置１０１を操作することによって、発光モジュール９の発光状態を制御する信号が端末装置１０１の送信部を介して浴光装置１に送信される。
【０１０５】
図１０に示すように、浴光装置１は、実施の形態１の発光モジュール９及び電源部１５の他に、受信部１７と、制御部１９とを有する。
【０１０６】
受信部１７は、通信回路により実現され、端末装置１０１から無線送信される信号をアンテナにより受信して制御部１９に送信する機能を有する。
【０１０７】
制御部１９は、受信部１７が受信した信号に応じて、発光モジュール９の発光状態を制御する。具体的には、制御部１９は、使用者からの指示（リモコン等を介した制御信号）に従って、発光モジュール９の点灯、消灯、調光（明るさの調整）、および調色（発光色（色温度）の調整）等の動作を制御する。
【０１０８】
制御部１９は、発光モジュール９などを制御するための回路等から構成されている。制御部１９は、プロセッサ、またはマイクロコンピュータなど、または専用回路によってこれらの動作を実現する。
【０１０９】
電源部１５は、発光モジュール９及び制御部１９等に電気的に接続している。
【０１１０】
このような発光システム１００において、使用者は、浴光装置１を卓上に配置し、端末装置１０１を操作して、浴光装置１の点灯及び消灯等の動作を行わせる。使用者は、浴光装置１の出射領域から出射される青色光及び白色光を浴びて浴光する。
【０１１１】
［作用効果］
次に、実施の形態２における発光システム１００の作用効果について説明する。
【０１１２】
上述したように、実施の形態２に係る発光システム１００において、信号を送信する端末装置１０１と、身体を活性化させる光を出射する浴光装置１とを備える。浴光装置１は、出射領域から光を出射する発光モジュール９と、端末装置１０１から信号を受信する受信部１７と、受信部１７が受信した信号に応じて、発光モジュール９の発光状態を制御する制御部１９とを有する。また、出射領域は、第１輝度の光を出射する第１出射領域Ｅ１と、第１出射領域Ｅ１と異なる領域であり、第１輝度よりも大きな輝度である第２輝度の光を出射する第２出射領域Ｅ２とを有する。第１出射領域Ｅ１は、出射領域の中央部分に位置する。第２出射領域Ｅ２は、第１出射領域Ｅ１の周辺に位置する。第１出射領域Ｅ１から出射する第１輝度の光は、身体を活性化させる所定の波長を有する。
【０１１３】
また、実施の形態２における発光システム１００の作用効果についても、実施の形態１と同様の作用効果を奏する。
【０１１４】
（その他変形例等）
以上、本発明に係る浴光装置、浴光方法及び発光システムについて、実施の形態１、２及び実施の形態１の変形例１、２に基づいて説明したが、本発明は、上記実施の形態１、２及び実施の形態１の変形例１、２に限定されるものではない。
【０１１５】
例えば、上記実施の形態において、浴光装置を正面視した場合（前側から見た場合）の形状は、長方形状であるが、この形状は長方形状に限定されない。例えば、円形状、三角形状等の多角形状、半月形状等であってもよく、これらの形状を組み合わせた形状であってもよい。また、例えば、浴光装置が円形状の場合、発光モジュールは筐体の内周面に一様に設けられていてもよく、円の中心に対して点対称になるように一対の発光モジュールが設けられていてもよい。言い換えれば、円弧状の一対の発光モジュールが互いに対称に設けられていてもよい。つまり、第２出射領域は、出射領域の外縁の一部に接していればよい。
【０１１６】
また、上記実施の形態において、複数の光源の光軸が前方を向くように、複数の光源が筐体の底部に一様に設けられていてもよい。この場合、第１出射領域に対応する光源の輝度を抑える（第１輝度となる）ように電源部の出力を制御してもよい。
【０１１７】
また、上記実施の形態１において、第２出射領域は、上下に設けられているが、これに限定されず、左右に設けられていてもよい。この場合、発光モジュールも同様に筐体内で左右に設けられる。
【０１１８】
また、上記実施の形態において、青色光源のみが点灯してもよく、白色光源のみが点灯してもよい。つまり、必ず、青色光源及び白色光源の両方が同時に点灯しなければならないわけではない。使用者の操作により、青色光源のみが点灯している状態で、白色光源をさらに点灯させることができてもよく、この逆ができてもよい。また、点灯している青色光源を消灯させるとともに、消灯している白色光源を点灯させることができてもよく、この逆ができてもよい（青色光源及び白色光源の点灯及び消灯の切替え）。
【０１１９】
また、上記実施の形態において、白色光源又は青色光源のいずれかのみが点灯する場合において、次第に輝度が変化するようなグラデーション領域が設けられていてもよい。つまり、単色でも、輝度の違いにより、グラデーション領域が設けられてもよい。
【０１２０】
また、上記実施の形態において、浴光装置には操作部が電気的に接続されているが、無線通信を行うリモートコントローラにより浴光装置を操作（電源のＯＮ、ＯＦＦ等の操作）することができてもよい。無線通信は、リモートコントローラと無線通信を行う通信部を浴光装置に設けることにより実現する。通信部は、例えば、ＺｉｇＢｅｅ（登録商標）、Ｗｉ−Ｆｉ（登録商標）、ＢｌｕｅＴｏｏｔｈ（登録商標）などの近距離無線機能を有する装置である。
【０１２１】
その他、実施の形態１、２及び実施の形態１の変形例１、２に対して当業者が思いつく各種変形を施して得られる形態や、本発明の趣旨を逸脱しない範囲で実施の形態１、２及び実施の形態１の変形例１、２における構成要素及び機能を任意に組み合わせることで実現される形態も本発明に含まれる。
【符号の説明】
【０１２２】
１  浴光装置（発光装置）
３  筐体
７  拡散シート
９  発光モジュール
１３  透光板
１７  受信部
１９  制御部
３１  開口
３２  筐体の底部
９１  白色光源
９２  青色光源
１００  発光システム
１０１  端末装置
Ｅ１  第１出射領域
Ｅ１１  グラデーション領域
Ｅ２  第２出射領域
【図１】
0006735471.tif 000002
【図２】
0006735471.tif 000003
【図３】
0006735471.tif 000004
【図４】
0006735471.tif 000005
【図５】
0006735471.tif 000006
【図６】
0006735471.tif 000007
【図７】
0006735471.tif 000008
【図８】
0006735471.tif 000009
【図９】
0006735471.tif 000010
【図１０】
0006735471.tif 000011